(57)【要約】【課題】施工時に内倒し窓を滑らかに動作させるように調整することができる内倒し窓用ステーを提供する。【解決手段】窓枠取付板２１に対し枠側連結手段１２により回動可能にかつスライド可能に一端が取り付けられた第１アーム３１と、障子取付板２２に対し框側連結手段１３により回動可能に一端が取り付けられ他端に突出部３３が設けられた第２アーム３２と、第１アーム３１及び第２アーム３２の他端を回動可能に連結するアーム連結手段１４と、障子取付板２２にスライド可能に支持され、操作片１７Ａが設けられ、突出部３３の屋外側面３５に当接して第２アーム３２の障子取付板２２に対する外方回動を規制する外方回動規制手段１６を有する可動ストッパ１７とを備えたステー１１であって、框側連結手段１３及びアーム連結手段１４をリベット継手とし、枠側連結手段１２を調整ボルト３０により作動力を調整可能とした。【選択図】図４
2009243089.tif 000002
【特許請求の範囲】
【請求項１】
窓枠の縦枠内側面に取り付けられる窓枠取付板と、該窓枠取付板に対し、枠側連結手段により左右方向軸まわりに回動可能にかつ上下方向にスライド可能に一端が取り付けられた第１アームと、障子の縦框外側面に取り付けられる障子取付板と、該障子取付板に対し、框側連結手段により左右方向軸まわりに回動可能に一端が取り付けられた第２アームと、前記第１アーム及び第２アームの他端を左右方向軸まわりに回動可能に連結するアーム連結手段と、前記障子取付板に対して上下方向にスライド可能に支持されるとともに操作片が室内側に設けられ、前記第２アームの前記障子取付板に対する屋外方向への回動を規制する外方回動規制手段が設けられた可動ストッパとを備えた内倒し窓用ステーであって、
前記框側連結手段が、前記障子取付板に形成された左右方向の丸孔及び前記第２アームの一端に形成された左右方向の丸孔並びにこれらの丸孔に軸部が挿通されその軸端がかしめられたリベットにより構成されるとともに、前記アーム連結手段が、前記第１アームの他端に形成された左右方向の丸孔及び前記第２アームの他端に形成された左右方向の丸孔並びにこれらの丸孔に軸部が挿通されその軸端がかしめられたリベットにより構成され、
前記枠側連結手段が、前記窓枠取付板に形成された左右方向に貫通し上下方向に延びる長孔、前記第１アームの一端に形成された左右方向の丸孔、前記窓枠取付板に対して前記第１アームと反対側に位置し、左右方向軸まわりの回転が規制された状態で前記窓枠取付板に沿って上下方向にスライドするスライド体、並びに、前記第１アームに直接又はワッシャを介して頭部が当止され、前記スライド体の螺孔又は前記スライド体に当止されるナットに螺合した左右方向の調整ボルトを少なくとも備えて構成されることを特徴とする内倒し窓用ステー。
【請求項２】
前記枠側連結手段が、前記窓枠取付板に形成された左右方向に貫通し上下方向に延びる長孔、前記第１アームの一端に形成された左右方向の丸孔、前記窓枠取付板に対して前記第１アームと反対側に位置し、左右方向軸まわりの回転が規制された状態で前記窓枠取付板に沿って上下方向にスライドするスライド体、前記第１アーム一端の丸孔に内接する多角形状外側面を有し左右方向の通孔が形成された筒体、該筒体が嵌合する、前記スライド体に形成された左右方向の多角形状孔、前記窓枠取付板と前記第１アームとの間に介在し、前記筒体に外嵌する多角形状孔が形成された第１ワッシャ、該第１ワッシャとともに前記第１アームを挟む、前記筒体に外嵌する多角形状孔が形成された第２ワッシャ、並びに、該第２ワッシャに頭部が当止され、前記スライド体の螺孔又は前記スライド体に当止されるナットに螺合した左右方向の調整ボルトにより構成される請求項１記載の内倒し窓用ステー。
【請求項３】
前記筒体を前記スライド体と一体に形成してなる請求項２記載の内倒し窓用ステー。
【発明の詳細な説明】
【技術分野】
【０００１】
本発明は、障子を閉位置から小角度傾倒位置まで内倒した状態及びさらに大角度傾倒位置まで内倒した状態で保持可能とする内倒し窓用ステーに関するものである。
【背景技術】
【０００２】
窓枠内に納められ、防犯上問題のない小角度傾倒位置まで内倒し可能な障子を、該障子の屋外面を屋内側から掃除可能なように、さらに大角度傾倒位置まで内倒し可能としてなる内倒し窓用ステーとして、窓枠の縦枠内側面に取り付けられる窓枠取付板と、該窓枠取付板に対し、枠側連結手段により左右方向軸まわりに回動可能にかつ上下方向にスライド可能に一端が取り付けられた第１アームと、障子の縦框外側面に取り付けられる障子取付板と、該障子取付板に対し、框側連結手段により左右方向軸まわりに回動可能に一端が取り付けられた第２アームと、前記第１アーム及び第２アームの他端を左右方向軸まわりに回動可能に連結するアーム連結手段と、前記障子取付板に対して上下方向にスライド可能に支持されるとともに操作片が室内側に設けられ、前記第２アームの前記障子取付板に対する屋外方向への回動を規制する外方回動規制手段が設けられた可動ストッパとを備え、前記操作片により前記可動ストッパを上方へスライドさせることにより、前記第２アームを前記縦框に対して屋外方向へ回動可能としてなるものがある（例えば、特許文献１及び２参照。）。
【０００３】
【特許文献１】実用新案登録第２５５０５４０号公報（図１−２）
【特許文献２】特開２００６−２５７７８２号公報（図１、図４−５）
【発明の開示】
【発明が解決しようとする課題】
【０００４】
以上のような従来の内倒し窓用ステーは、例えば図８に示す従来のステー４１における枠側連結手段４２、框側連結手段４３及びアーム連結手段４４として、長期間にわたる動作の信頼性の確保及びコスト低減等のために、これら連結手段４２，４３，４４の３箇所の締結部の孔にそれぞれリベットの軸部を差し込み、軸端をかしめて継手とするリベット継手を用いているとともに、かしめ工程により前記締結部に摩擦抵抗を発生させるようにして一定の作動力を付与している。
このような構成の内倒し窓用ステーを用いた内倒し窓において、前記３箇所のリベット継手の作動力のバランスが取れた状態では、図８（ａ）に示すように、閉位置Ａから障子３の屋外面の掃除等のために大角度傾倒位置Ｃとした後に、障子３を前方（屋外方向）へ押し上げると、枠側連結手段４２が窓枠取付板４５の上下方向の長孔４５Ａの上端部に保持された状態（図８（ａ）のイ参照。）で障子３が回動するため、必ず小角度傾倒位置Ｂになる。そして、小角度傾倒位置Ｂから障子３を前方（屋外方向）へ押し上げると枠側連結手段４２が窓枠取付板４５の上下方向の長孔４５Ａに沿って長孔４５Ａの下端部まで移動して閉位置Ａになる。
【０００５】
これに対して、前記３箇所のリベット継手の作動力のバランスが取れていない状態では、図８（ｂ）に示すように、大角度傾倒位置Ｃから障子３を前方（屋外方向）へ押し上げる際に、枠側連結手段４２が窓枠取付板４５の上下方向の長孔４５Ａの上端部に保持されずに矢印Ｆのように下方へ移動してしまい（図８（ｂ）のロ参照。）、位置Ｄに示すように小角度傾倒位置Ｂに保持された状態とはならない不都合が生じる。
【０００６】
したがって、従来の内倒し窓用ステーのように、枠側連結手段、框側連結手段及びアーム連結手段の３箇所ともにリベット継手とした構成では、内倒し窓を滑らかに動作させるために、前記３箇所のリベット継手の作動力が大きくなり過ぎないようにするとともにバランスを取る必要があるため、例えば前記３箇所の作動力の規格を設定し、その規格内に入るようにかしめ荷重及びかしめ量を管理する必要があり、このような作動力を調整するための管理に手間が掛かるとともに、かしめ工程後には分解することができないため歩留りが下がっている。
その上、このように管理したステーを出荷後に、窓枠に実際にステー及び障子を取り付けた後に内倒し窓が滑らかに動作しない場合もあり、このような場合においても前記作動力の調整ができないことからステーを交換する必要が生じるため、内倒し窓の施工時間が必要以上に掛かってしまう場合がある。
よって、前記内倒し窓用ステーは、窓枠取付板を縦枠にねじ止めするとともに、障子を障子取付板にねじ止めすることによって容易に組付け作業を行うことができること等の特徴を有するものであるが、前記枠側連結手段、框側連結手段及びアーム連結手段の構成には、改良の余地がある。
【０００７】
そこで本発明が前述の状況に鑑み、解決しようとするところは、窓枠取付板を縦枠にねじ止めするとともに、障子を障子取付板にねじ止めすることによって容易に組付け作業を行うことができる構成でありながら、施工時に内倒し窓を滑らかに動作させるように調整することができる内倒し窓用ステーを提供する点にある。
【課題を解決するための手段】
【０００８】
本発明に係る内倒し窓用ステーは、前記課題解決のために、窓枠の縦枠内側面に取り付けられる窓枠取付板と、該窓枠取付板に対し、枠側連結手段により左右方向軸まわりに回動可能にかつ上下方向にスライド可能に一端が取り付けられた第１アームと、障子の縦框外側面に取り付けられる障子取付板と、該障子取付板に対し、框側連結手段により左右方向軸まわりに回動可能に一端が取り付けられた第２アームと、前記第１アーム及び第２アームの他端を左右方向軸まわりに回動可能に連結するアーム連結手段と、前記障子取付板に対して上下方向にスライド可能に支持されるとともに操作片が室内側に設けられ、前記第２アームの前記障子取付板に対する屋外方向への回動を規制する外方回動規制手段が設けられた可動ストッパとを備えた内倒し窓用ステーであって、前記框側連結手段が、前記障子取付板に形成された左右方向の丸孔及び前記第２アームの一端に形成された左右方向の丸孔並びにこれらの丸孔に軸部が挿通されその軸端がかしめられたリベットにより構成されるとともに、前記アーム連結手段が、前記第１アームの他端に形成された左右方向の丸孔及び前記第２アームの他端に形成された左右方向の丸孔並びにこれらの丸孔に軸部が挿通されその軸端がかしめられたリベットにより構成され、前記枠側連結手段が、前記窓枠取付板に形成された左右方向に貫通し上下方向に延びる長孔、前記第１アームの一端に形成された左右方向の丸孔、前記窓枠取付板に対して前記第１アームと反対側に位置し、左右方向軸まわりの回転が規制された状態で前記窓枠取付板に沿って上下方向にスライドするスライド体、並びに、前記第１アームに直接又はワッシャを介して頭部が当止され、前記スライド体の螺孔又は前記スライド体に当止されるナットに螺合した左右方向の調整ボルトを少なくとも備えて構成されるものである。
【０００９】
ここで、前記枠側連結手段が、前記窓枠取付板に形成された左右方向に貫通し上下方向に延びる長孔、前記第１アームの一端に形成された左右方向の丸孔、前記窓枠取付板に対して前記第１アームと反対側に位置し、左右方向軸まわりの回転が規制された状態で前記窓枠取付板に沿って上下方向にスライドするスライド体、前記第１アーム一端の丸孔に内接する多角形状外側面を有し左右方向の通孔が形成された筒体、該筒体が嵌合する、前記スライド体に形成された左右方向の多角形状孔、前記窓枠取付板と前記第１アームとの間に介在し、前記筒体に外嵌する多角形状孔が形成された第１ワッシャ、該第１ワッシャとともに前記第１アームを挟む、前記筒体に外嵌する多角形状孔が形成された第２ワッシャ、並びに、該第２ワッシャに頭部が当止され、前記スライド体の螺孔又は前記スライド体に当止されるナットに螺合した左右方向の調整ボルトにより構成されると好ましい。
【００１０】
また、前記筒体を前記スライド体と一体に形成してなると好ましい。
【発明の効果】
【００１１】
本発明に係る内倒し窓用ステーによれば、窓枠の縦枠内側面に取り付けられる窓枠取付板と、該窓枠取付板に対し、枠側連結手段により左右方向軸まわりに回動可能にかつ上下方向にスライド可能に一端が取り付けられた第１アームと、障子の縦框外側面に取り付けられる障子取付板と、該障子取付板に対し、框側連結手段により左右方向軸まわりに回動可能に一端が取り付けられた第２アームと、前記第１アーム及び第２アームの他端を左右方向軸まわりに回動可能に連結するアーム連結手段と、前記障子取付板に対して上下方向にスライド可能に支持されるとともに操作片が室内側に設けられ、前記第２アームの前記障子取付板に対する屋外方向への回動を規制する外方回動規制手段が設けられた可動ストッパとを備えた内倒し窓用ステーであって、前記框側連結手段が、前記障子取付板に形成された左右方向の丸孔及び前記第２アームの一端に形成された左右方向の丸孔並びにこれらの丸孔に軸部が挿通されその軸端がかしめられたリベットにより構成されるとともに、前記アーム連結手段が、前記第１アームの他端に形成された左右方向の丸孔及び前記第２アームの他端に形成された左右方向の丸孔並びにこれらの丸孔に軸部が挿通されその軸端がかしめられたリベットにより構成され、前記枠側連結手段が、前記窓枠取付板に形成された左右方向に貫通し上下方向に延びる長孔、前記第１アームの一端に形成された左右方向の丸孔、前記窓枠取付板に対して前記第１アームと反対側に位置し、左右方向軸まわりの回転が規制された状態で前記窓枠取付板に沿って上下方向にスライドするスライド体、並びに、前記第１アームに直接又はワッシャを介して頭部が当止され、前記スライド体の螺孔又は前記スライド体に当止されるナットに螺合した左右方向の調整ボルトを少なくとも備えて構成されるので、窓枠取付板を縦枠にねじ止めするとともに、障子取付板を縦框にねじ止めすることにより、組付け作業を容易に行うことができるとともに、既存の窓枠を倒し窓に適用することができる。
その上、内倒し窓に取り付けた状態で、閉位置から防犯上問題のない小角度傾倒位置まで障子を内倒した状態で保持することができ、この小角度傾倒位置において操作片により可動ストッパを弾性付勢力に抗して上方へスライドさせることにより、第２アームが障子取付板に対して屋外方向へ回動可能となるため、屋内側から屋外面の掃除が可能なように、障子をさらに大角度傾倒位置まで内倒した状態で保持することができる。
その上さらに、窓枠取付板を縦枠から簡単に取り外すことができるとともに、障子取付板を障子から容易に取り外すことができるので、ステー又は障子のメンテナンス作業若しくは交換作業を容易に行うことができる。
【００１２】
その上、調整ボルトの締付け力を調整して第１ワッシャ及び第２ワッシャに挟まれた第１アームに対する左右方向の押圧力並びにスライド体の窓枠取付板への左右方向の押圧力を調整することにより、第１アームが窓枠取付板に対して左右方向軸まわりに回動する際の作動力及び第１アームが窓枠取付板に対して上下方向にスライドする際の作動力を容易に調整することができるため、框側連結手段のリベット継手の一定の作動力及びアーム連結手段のリベット継手の一定の作動力に対して、調整ボルトにより枠側連結手段の作動力を調整することができる。
よって、施工の際に、内倒し窓を滑らかに動作させるように調整ボルトにより容易に調整することができるため、組み付け後の不具合を無くすことができる。
その上さらに、枠側連結手段の作動力を調整ボルトにより調整することができることから、框側連結手段のリベット継手の作動力及びアーム連結手段のリベット継手の作動力の規格（設定範囲）を広げることができるため、ステー単体の組立調整及び出荷時の管理が容易になる。
その上、施工後に内倒し窓を使用し、摩耗等による経時変化によりステーの框側連結手段のリベット継手の作動力及びアーム連結手段のリベット継手の作動力並びに枠側連結手段の作動力が変動して内倒し窓が滑らかに動作しなくなった場合においても、調整ボルトによる調整により内倒し窓が滑らかに動作する状態に容易に復帰させることができる。
【００１３】
また、前記枠側連結手段が、前記窓枠取付板に形成された左右方向に貫通し上下方向に延びる長孔、前記第１アームの一端に形成された左右方向の丸孔、前記窓枠取付板に対して前記第１アームと反対側に位置し、左右方向軸まわりの回転が規制された状態で前記窓枠取付板に沿って上下方向にスライドするスライド体、前記第１アーム一端の丸孔に内接する多角形状外側面を有し左右方向の通孔が形成された筒体、該筒体が嵌合する、前記スライド体に形成された左右方向の多角形状孔、前記窓枠取付板と前記第１アームとの間に介在し、前記筒体に外嵌する多角形状孔が形成された第１ワッシャ、該第１ワッシャとともに前記第１アームを挟む、前記筒体に外嵌する多角形状孔が形成された第２ワッシャ、並びに、該第２ワッシャに頭部が当止され、前記スライド体の螺孔又は前記スライド体に当止されるナットに螺合した左右方向の調整ボルトにより構成されると、前記効果に加え、第１アーム一端の丸孔に内接する筒体が左右方向軸まわりの回転が規制された状態で窓枠取付板に沿って上下方向にスライドするスライド体と一体化されていることから、第１アームが左右方向軸まわりに回動しても筒体は回動しないとともに、第１ワッシャ及び第２ワッシャも、筒体の多角形状外側面に外嵌しているため、第１アームの動きにつられて左右方向軸まわりに回動することがない。
よって、第２ワッシャに頭部が押圧される調整ボルトが、第１アームの回動により影響を受けないことから、第１アームの回動により調整ボルトが緩まないため、調整が完了した状態を長期にわたって安定かつ確実に保持することができる。
【００１４】
さらに、前記筒体を前記スライド体と一体に形成してなると、前記効果に加え、枠側連結手段の部品点数を削減することができるためコストを削減することができる。
【発明を実施するための最良の形態】
【００１５】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、屋内側から屋外側へ向かう方向の前側を前、後側を後とし、左右は前方に向かっていうものとする。また、障子については、最も閉じた状態において前記方向の定義を用いる。
【００１６】
図１及び図２は本発明の実施の形態に係る内倒し窓用ステーを組み込んだ内倒し窓の構成を示す縦断左側面図、図３は同じく左ステーを前方から見た拡大図であり、図１は調整ボルトによる調整が完了した状態を、図２は調整ボルトによる調整が完了していない状態を示している。
また、図４は左ステーを左方から見た拡大図、図５（ａ）は窓枠取付板まわりの分解斜視図、図５（ｂ）は窓枠取付板及びスライド体を内側から見た図、図６（ａ）は同じく縦断面図、図６（ｂ）は同じく左方から見た図、図７は調整ボルトまわりを拡大して示す縦断面図である。
【００１７】
図１に示すように、窓枠２は、上枠２Ｕ、下枠２Ｌ及び左右の縦枠２Ｓ，２Ｓを組み合わせてなる矩形枠体等からなり、障子３は、上框３Ｕ、下框３Ｌ及び左右の縦框３Ｓ，３Ｓを組み合わせてなる矩形框体並びに該框体内側の窓開口部に装着されるガラス等からなる。
また、内倒し窓１は、窓枠２及び窓枠２内に納められる障子３、窓枠１の左右の縦枠２Ｓ，２Ｓ内側面及び左右の縦框３Ｓ，３Ｓ外側面間に取り付けた左右のステー等からなり、下枠２Ｌの左右方向に延びる窓枠側支持部５及び該窓枠側支持部５に外嵌する障子側支持部６により構成される回動支持部４まわりに障子３を屋内側へ傾倒可能に構成したものであり、上框３Ｕに設けた取手８の操作により、窓枠２の上枠２Ｕに取り付けた係止部１０とラッチ機構７のラッチ具９との係止が解除され、障子３が閉位置Ａから小角度傾倒位置Ｂまで屋内側へ傾倒可能となる。
【００１８】
例えば、取手８を下げると、図示しないばねによる復元力により上方へ付勢されているラッチ具９を下降させる力が作用して、係止部１０とラッチ具９との係止が解除され、図１の閉位置Ａから小角度傾倒位置Ｂまで屋内側へ傾倒可能となる。そして、障子３は、後述する操作片１７Ａの操作により、さらに大角度傾倒位置Ｃまで屋内側へ傾倒させることができる。
また、障子３を閉じる際には、取手８を持って障子３を前方（屋外方向）へ押し上げて前記回動支持部４まわりに回動させることにより、ラッチ具９の傾斜面９Ａが係止部１０により押し下げられて係止部１０を通過後、上方へ付勢力が作用しているラッチ具９が閉位置Ａにて上昇して係止部１０の前面により係止されるため、閉位置Ａにて施錠状態となる。
【００１９】
次に、本発明の実施の形態に係る内倒し窓用ステーについて説明するが、左右のステーは左右対称であり同様の構成であるため、左ステー１１を代表させて説明する。
図１、図３及び図４に示すように、左ステー１１の窓枠取付板２１及び障子取付板２２は上下方向に縦長に形成されており、窓枠取付板２１は、その上下に位置する左右方向の丸孔２１Ａ，２１Ａを用いて窓枠２の縦枠２Ｓに取り付けられ、障子取付板２２は、その上下に位置する左右方向の丸孔２２Ａ，２２Ａを用いて障子３の縦框３Ｓに取り付けられる。
第１アーム３１は、その一端が窓枠取付板２１に対し、枠側連結手段１２により左右方向軸まわりに回動可能にかつ上下方向にスライド可能に取り付けられ、第２アーム３２は、その一端が障子取付板２２に対し、框側連結手段１３により左右方向軸まわりに回動可能に取り付けられ、第１アーム３１及び第２アーム３２の他端は、アーム連結手段１４により左右方向軸まわりに回動可能に連結され、第２アーム３２の他端の左右方向の丸孔３２Ａ近傍には、前記一端の左右方向の丸孔３２Ｂに向かう方向と逆方向に突出する突出部３３が設けられる。
【００２０】
障子取付板２２には、可動ストッパ１７が上下方向にスライド可能に支持されるとともに、ばね受け２３の下側の圧縮コイルばね１８（図４参照。）により可動ストッパ１７は下方へ弾性付勢され、さらに可動ストッパ１７にはその室内側に操作片１７Ａが取り付けられる。
また、可動ストッパ１７には、第２アーム３２の突出部３３の屋内側面３４に当接して障子取付板２２（縦框３Ｓ）に対する第２アーム３２の屋内方向への回動を規制する内方回動規制手段１５、及び、前記突出部３３の屋外側面３５に当接して障子取付板２２（縦框３Ｓ）に対する第２アーム３２の屋外方向への回動を規制する外方回動規制手段１６が設けられる。
よって、前述のとおり、図１の小角度傾倒位置Ｂにおいて、操作片１７Ａにより可動ストッパ１７を前記圧縮コイルばね１８の弾性付勢力に抗して上方へスライドさせることにより（図４の矢印Ｅ参照。）、第２アーム３２が障子取付板２２（縦框３Ｓ）に対して屋外方向へ回動可能となるため、障子３をさらに大角度傾倒位置Ｃまで内倒した状態とすることができる。
【００２１】
このようにして、内倒し窓１の障子３を、防犯上問題のない小角度傾倒位置Ｂまでの傾倒角度から、該障子３の屋外面を屋内側から掃除可能なように、大角度傾倒位置Ｃまでの傾倒角度へ容易に変更することができる。
また、障子取付板２２にはアーム受け２４が形成されており、第２アーム３２の障子取付板２２（縦框３Ｓ）に対する屋外方向への回動が所定角度までで規制されることから、第１アーム３１及び第２アーム３２の他端同士を回動可能に連結したリンク機構の動作の安定化が図られているため、障子３の開閉動作の安定化を図ることができる。
さらに、アーム受け２４の位置により大角度傾倒位置Ｃでの障子３の傾倒角度を調整することができる。
【００２２】
図４に示すように、第２アーム３２の突出部３３の屋外側面３５は略垂直平面であり、突出部３３の屋内側面３４は上方に行くにしたがって前方へ傾斜する曲面（略円筒面）となっている。また、可動ストッパ１７は、前記のとおり圧縮コイルばね１８による下方への付勢力が作用した状態で上下方向にスライド可能となっている。
したがって、図１に示す後述する調整ボルト３０による調整が完了した状態において、障子３を大角度傾倒位置Ｃから小角度傾倒位置Ｂまで戻す場合には、取手８を持って障子３を前方（屋外方向）へ押し上げて回動支持部４まわりに回動させれば、可動ストッパ１７の前下部に突出部５３の屋内側面３４が当接し、該可動ストッパ１７が押し上げられる。そして、障子３が図１の小角度傾倒位置Ｂに達すると、可動ストッパ１７が下降して、外方回動規制手段１６が突出部３３の屋外側面３５の前側に位置するため、第２アーム３２の障子取付板２２（縦框３Ｓ）に対する屋外方向への回動が規制され、該状態が保持される。
【００２３】
次に、框側連結手段１３及びアーム連結手段１４について説明する。
図３及び図４に示すように、障子取付板２２には、可動ストッパ１７の下側に左右方向の丸孔２２Ｂが形成されており、第２アーム３２一端の丸孔３２Ｂ及び障子取付板２２の丸孔２２Ｂに段付リベット２０の軸部を差し込み、軸端をかしめることにより、第２アーム３２の一端は、障子取付板２２に対して左右方向軸まわりに回動可能に取り付けられ、これら障子取付板２２に形成された左右方向の丸孔２２Ｂ及び第２アーム３２の一端に形成された左右方向の丸孔３２Ｂ並びにこれらの丸孔２２Ｂ，３２Ｂに軸部が挿通され軸端がかしめられた段付リベット２０により框側連結手段１３が構成される。
【００２４】
また、第１アーム３１他端の第２アーム３２との締結部には左右方向の丸孔３１Ｂが形成されており、第１アーム３１他端の丸孔３１Ｂ及び第２アーム３２他端の丸孔３２Ａに段付リベット１９の軸部を差し込み、軸端をかしめることにより、第１アーム３１及び第２アーム３２とは左右方向軸まわりに回動可能に連結され、これら第１アーム３１他端に形成された左右方向の丸孔３１Ｂ及び第２アーム３２他端に形成された左右方向の丸孔３２Ａ並びにこれらの丸孔３１Ｂ，３２Ａに軸部が挿通され軸端がかしめられた段付リベット１９によりアーム連結手段１４が構成される。
ここで、障子取付板２２、第１アーム３１及び第２アーム３２並びに段付リベット１９，２０は、例えばステンレス鋼等の鋼製であり、第２アーム３２と障子取付板２２との間の段付きリベット２０の軸まわり、及び、第１アーム３１と第２アーム３２との間の段付きリベット１９の軸まわりには、例えばナイロン等の合成樹脂製のワッシャが装着されるため、前記左右方向軸まわりの回動動作の円滑化及び動作音の静粛化が図られている。
【００２５】
次に、枠側連結手段１２について説明する。
図４〜図７に示すように、窓枠取付板２１には、左右方向に貫通し上下方向に延びる長孔２１Ｂが形成され、第１アーム３１の一端（縦枠２Ｓ側端部）には左右方向の丸孔３１Ａが形成される。
また、窓枠取付板２１の第１アーム３１と反対側には、窓枠取付板２１の長孔２１Ｂの前後側壁に沿う前後の平行面２５Ｂ，２５Ｂをガイドとして、左右方向軸まわりの回転が規制された状態で窓枠取付板２１に沿って上下方向にスライドするスライド体２５が配設され、該スライド体２５に形成された左右方向の正六角形状孔２５Ａには、第１アーム３１一端の丸孔３１Ａに内接する正六角形状外側面２６Ａを有し左右方向の丸孔２６Ｂが形成された筒体２６の左端部が嵌合する。
【００２６】
そして、窓枠取付板２１と第１アーム３１との間には、筒体２６に外嵌する正六角形状孔２７Ａが形成された第１ワッシャ２７が介在し、第１アーム３１の左右面は第１ワッシャ２７及び筒体２６に外嵌する正六角形状孔２８Ａが形成された第２ワッシャ２８により挟まれ、該第２ワッシャ２８に頭部３０Ａが当止された左右方向の調整ボルト３０のねじ軸３０Ｂがスライド体２５の左端部に当止される板ナット２９の螺孔２９Ａに螺合する。
このような構成により、第１アーム３１の一端が窓枠取付板２１に対して左右方向軸まわりに回動可能にかつ上下方向にスライド可能に取り付けられるため、窓枠取付板２１に形成された長孔２１Ｂ、第１アーム３１の一端に形成された左右方向の丸孔３１Ａ、スライド体２５、筒体２６、第１ワッシャ２７、第２ワッシャ２８、調整ボルト３０及び板ナット２９により枠側連結手段１２が構成される。
なお、図６（ａ）に示すように、調整ボルト３０のねじ軸３０Ｂ先端は、抜け止めのためにかしめであるが、このようなかしめ工程を無くしてもよい。
【００２７】
ここで、窓枠取付板２１、筒体２６、調整ボルト３０及び板ナット２９は、例えばステンレス鋼等の鋼製であり、スライド体２５、第１ワッシャ２７及び第２ワッシャ２８は、例えばナイロン等の合成樹脂製であるため、第１アーム３１の一端の窓枠取付板２１に対する左右方向軸まわりの回動動作及び上下方向のスライド動作の円滑化及び動作音の静粛化が図られている。
【００２８】
以上のような枠側連結手段１２の構成において、筒体２６の外側面は正六角形状に限定されるものではなく、第１アーム３１一端の丸孔３１Ａに内接する多角形状であればよい。
したがって、同様に、スライド体２５の正六角形状孔２５Ａ、第１ワッシャ２７の正六角形状孔２７Ａ及び第２ワッシャ２８の正六角形状孔２８Ａは、筒体２６が嵌合するように筒体２６の外側面の形状に合わせて製作されるものであるため、正六角形状孔２５Ａ，２７Ａ及び２８Ａも正六角形状に限定されるものではなく、筒体２６の外側面の形状に合わせた多角形状であればよい。
【００２９】
また、筒体２６はスライド体２５と別体とせずに一体に形成してもよく、この場合は、例えば筒体もスライド体と同じ樹脂製とすればよく、このような構成によれば、枠側連結手段１２の部品点数を削減することができるためコストを削減することができる。
さらに、板ナット２９もスライド体２５と別体とせずに一体に形成してもよく、このような構成である場合には、スライド体２５自体に調整ボルト３０が螺合する螺孔を形成する必要があるため、スライド体２５を金属製とするか、あるいは螺孔を金属インサート品としたインサート成形とすればよい。
さらにまた、筒体２６の丸孔２６Ｂは丸孔に限定されるものではなく、調整ボルト３０のねじ軸が挿通される通孔であればよい。
【００３０】
以上のような枠側連結手段１２の構成によれば、調整ボルト３０の締付け力をドライバ等の工具を用いて調整することにより、第１ワッシャ２７及び第２ワッシャ２８に挟まれた第１アーム３１に対する左右方向の押圧力並びにスライド体２５の窓枠取付板２１への左右方向の押圧力を調整することができる。
したがって、框側連結手段１３のリベット継手の一定の作動力及びアーム連結手段１４のリベット継手の一定の作動力に対して、枠側連結手段１２の作動力、すなわち第１アーム３１が窓枠取付板２１に対して左右方向軸まわりに回動する際の作動力及び第１アーム３１が窓枠取付板２１に対して上下方向にスライドする際の作動力を調整ボルト３０により容易に調整することができる。
よって、施工の際に、内倒し窓１を滑らかに動作させるように調整ボルト３０により容易に調整することができるため、組み付け後の不具合を無くすことができる。
【００３１】
その上、枠側連結手段１２の作動力を調整ボルト３０により調整することができることから、框側連結手段１３のリベット継手の作動力及びアーム連結手段１４のリベット継手の作動力の規格（設定範囲）を広げることができるため、ステー１１単体の組立調整及び出荷時の管理が容易になる。
その上さらに、施工後に内倒し窓１を使用し、摩耗等による経時変化によりステー１１の框側連結手段１３のリベット継手の作動力及びアーム連結手段１４のリベット継手の作動力並びに枠側連結手段１２の作動力が変動して内倒し窓１が滑らかに動作しなくなった場合においても、調整ボルト３０による調整により内倒し窓１が滑らかに動作する状態に容易に復帰させることができる。
【００３２】
また、第１アーム３１の丸孔３１Ａ内の筒体２６は、左右方向軸まわりの回転が規制された状態で窓枠取付板２１に沿って上下方向にスライドするスライド体２５と一体化されているため、第１アーム３１が左右方向軸まわりに回動しても筒体２６は回動しない。
さらに、第１ワッシャ２７及び第２ワッシャ２８も、筒体２６の正六角形状外側面２６Ａに外嵌しているため、第１アーム３１の動きにつられて左右方向軸まわりに回動することがない。
よって、第２ワッシャ２８に頭部３０Ａが押圧される調整ボルト３０が、第１アーム３１の回動により影響を受けないことから、第１アーム３１の回動により調整ボルト３０が緩まないため、調整が完了した状態を長期にわたって安定かつ確実に保持することができる。
【００３３】
なお、框側連結手段１３及びアーム連結手段１４についても、リベット継手ではなく調整ボルトにより調整可能とする構成も考えられるが、このような構成では、框側連結手段１３及びアーム連結手段１４まわりが大きくなることから、ステーを縦枠２Ｓと縦框３Ｓとの隙間に組み込むことができなくなる場合があるとともに、調整箇所が増えて調整作業が面倒になることから、却って内倒し窓の施工時間が長くなるとともにコストが増大するため、好ましい構成ではない。
また、３箇所の連結手段１２，１３，１４をいずれもリベット継手とした際の作動力のばらつきの評価により、枠側連結手段１２のばらつきが最も大きいことがわかっているため、本発明の構成のように、框側連結手段１３及びアーム連結手段１４をリベット継手として作動力を一定とし、枠側連結手段１２のみを調整ボルト３０等により調整可能として作動力を調整する構成が最も効果的かつ実用的なものである。
【００３４】
次に、内倒し窓１を滑らかに動作させるためのステー１１の調整方法について説明する。
図１に示すように、閉位置Ａから取手８を下げて小角度傾倒位置Ｂまで障子３を傾倒させた状態から、操作片１７Ａを上げて可動ストッパ１７を上方へスライドさせることにより、前記のとおり障子３をさらに大角度傾倒位置Ｃまで内倒した状態となる。
この大角度傾倒位置Ｃから取手８を持って障子３を前方（屋外方向）へ押し上げて回動支持部４まわりに回動させた際に、前述の図８（ｂ）の説明と同様に、図２の位置Ｄに示すように前記小角度傾倒位置Ｂで障子３が保持された状態（図１の小角度傾倒位置Ｂ）とならない場合があり、このような場合が、框側連結手段１３及びアーム連結手段１４の一定の作動力に対して枠側連結手段１２の作動力が適切に調整されていない状態であり、このような状態では操作感も悪くなっている。
【００３５】
したがって、内倒し窓１が滑らかに動作しない状態、すなわち大角度傾倒位置Ｃから取手８を前方に操作しても障子３が小角度傾倒位置Ｂにならない状態から、調整ボルト３０をドライバ等の工具により回転させて、図１に示すように、大角度傾倒位置Ｃから必ず小角度傾倒位置Ｂとなるように調整することにより、ステー１１の窓枠取付板２１を窓枠２の縦枠２Ｓにねじ止めし障子取付板２２を障子３の縦框３Ｓにねじ止めして組付け作業が完了した後の内倒し窓１に対し、この内倒し窓１が滑らかに動作するように容易に調整することができる。
【００３６】
以上の説明においては、枠側連結手段１２を、窓枠取付板２１に形成された長孔２１Ｂ、第１アーム３１の一端に形成された左右方向の丸孔３１Ａ、スライド体２５、筒体２６、第１ワッシャ２７、第２ワッシャ２８、板ナット２９及び調整ボルト３０により構成する場合を示したが、枠側連結手段１２は、長孔２１Ｂ、丸孔３１Ａ、スライド体２５、並びに、第１アーム３１に直接又はワッシャを介して頭部が当止され、スライド体２５の螺孔又はスライド体２５に当止される板ナット２９に螺合した左右方向の調整ボルト３０を少なくとも備えて構成されるものであればよい。
【図面の簡単な説明】
【００３７】
【図１】本発明の実施の形態に係る内倒し窓用ステーを組み込んだ内倒し窓の構成を示す縦断左側面図であり、調整ボルトによる調整が完了した状態を示している。
【図２】同じく縦断左側面図であり、調整ボルトによる調整が完了していない状態を示している。
【図３】同じく左ステーを前方から見た拡大図である。
【図４】左ステー左方から見た拡大図である。
【図５】（ａ）は窓枠取付板まわりの分解斜視図であり、（ｂ）は窓枠取付板及びスライド体を内側から見た図である。
【図６】（ａ）は同じく縦断面図、（ｂ）は同じく左方から見た図である。
【図７】調整ボルトまわりを拡大して示す縦断面図である。
【図８】従来の内倒し窓用ステーを組み込んだ内倒し窓の構成を示す縦断左側面図であり、（ａ）はリベット継手の作動力のバランスが取れた状態を、（ｂ）は前記バランスが取れていない状態を示している。
【符号の説明】
【００３８】
Ａ  閉位置
Ｂ  小角度傾倒位置
Ｃ  大角度傾倒位置
１  内倒し窓
２  窓枠
２Ｕ  上枠
２Ｌ  下枠
２Ｓ  縦枠
３  障子
３Ｕ  上框
３Ｌ  下框
３Ｓ  縦框
４  回動支持部
５  窓枠側支持部
６  障子側支持部
７  ラッチ機構
８  取手
９  ラッチ具
９Ａ  傾斜面
１０  係止部
１１  ステー
１２  枠側連結手段
１３  框側連結手段
１４  アーム連結手段
１５  内方回動規制手段
１６  外方回動規制手段
１７  可動ストッパ
１７Ａ  操作片
１８  圧縮コイルばね
１９，２０  段付リベット
２１  窓枠取付板
２１Ａ  取付孔
２１Ｂ  長孔
２２  障子取付板
２２Ａ  取付孔
２２Ｂ  丸孔
２３  ばね受け
２４  アーム受け
２５  スライド体
２５Ａ  正六角形状（多角形状孔）
２５Ｂ  平行面
２６  筒体
２６Ａ  正六角形状外側面（多角形状外側面）
２６Ｂ  丸孔（通孔）
２７  第１ワッシャ
２７Ａ  正六角形状（多角形状孔）
２８  第２ワッシャ
２８Ａ  正六角形状（多角形状孔）
２９  板ナット
２９Ａ  螺孔
３０  調整ボルト
３０Ａ  頭部
３０Ｂ  ねじ軸
３１  第１アーム
３１Ａ，３１Ｂ  丸孔
３２  第２アーム
３２Ａ，３２Ｂ  丸孔
３３  突出部
３４  屋内側面
３５  屋外側面
【図１】
2009243089.tif 000003
【図２】
2009243089.tif 000004
【図３】
2009243089.tif 000005
【図４】
2009243089.tif 000006
【図５】
2009243089.tif 000007
【図６】
2009243089.tif 000008
【図７】
2009243089.tif 000009
【図８】
2009243089.tif 000010